(57)【要約】【課題】熟練した職人の手作業に頼ることなく、組み付けに多くの手間と時間を不要とするとともに得られた土塗壁の耐久力等の性能上及び機能上から竹製木舞に何等遜色ない上、製作コストの低廉化がはかれる土塗壁の下地材及び土塗壁工法を提供することを目的とする。【解決手段】下地材として有孔の木質系薄板状体を用いた土塗壁の下地材と、この下地材を用いた土塗壁工法を基本手段として提供する。上記木質系薄板状体として多数個の円形小孔１３が穿設されたベニヤ合板１２を用いる。上記ベニヤ合板１２に円形小孔１３を千鳥模様に配列してあり、円形小孔１３の直径は２５ｍｍ〜３０ｍｍとし、円形小孔１３の縁部から外側に延びる略三角形の切込み１４を設けてある。円形小孔１３に代えて平面視が三角形もしくは八角形等の多角形の小孔を穿設することもできる。【選択図】　　　図１
2004068431.tif 000002
【特許請求の範囲】
【請求項１】
下地材として有孔の木質系薄板状体を用いたことを特徴とする土塗壁の下地材。
【請求項２】
木質系薄板状体として多数個の円形小孔が穿設されたベニヤ合板を用いた請求項１に記載の土塗壁の下地材。
【請求項３】
ベニヤ合板に円形小孔を千鳥模様に配列した請求項２に記載の土塗壁の下地材。
【請求項４】
円形小孔の直径を２５ｍｍ〜３０ｍｍとした請求項２又は３に記載の土塗壁の下地材。
【請求項５】
円形小孔の縁部から外側に延びる略三角形の切込みを設けた請求項２，３又は４に記載の土塗壁の下地材。
【請求項６】
円形小孔に代えて平面視が三角形もしくは八角形等の多角形の小孔をベニヤ合板に穿設した請求項２に記載の土塗壁の下地材。
【請求項７】
家屋の壁部構築時に、下地材としての有孔の木質系薄板状体を柱材間に固定し、該薄板状体の両面から土を塗りつけることにより、薄板状体を中心として両側に略同一厚の土塗壁を構築することを特徴とする土塗壁工法。
【請求項８】
家屋の壁部構築時に、下地材としての有孔の木質系薄板状体を柱材間に固定し、該薄板状体の両面から土を塗りつけることにより、薄板状体を中心として両側に略同一厚の荒壁を構築し、各工程毎に乾燥作業を介在させながら中塗、仕上塗を施して土塗壁を完成させることを特徴とする土塗壁工法。
【請求項９】
土塗壁内に補強用の藁スサもしくはメッシュを混入した請求項７又は８に記載の土塗壁工法。
【発明の詳細な説明】
【０００１】
【発明の属する技術分野】
本発明は木造家屋の壁部、例えば内壁，外壁はもとより鉄骨造り及び鉄筋コンクリート造りの壁面にも適用可能な土塗壁の下地材及び土塗壁工法に関するものである。
【０００２】
【従来の技術】
従来から木造家屋の壁部、例えば内壁，外壁の下地材として竹や細木を縦横に組み込んだ木舞が用いられており、特に土塗壁の下地材として、図１１に示したように柱材１，１間に真竹を割って平棒状にした竹製木舞縦部材２，２に竹製木舞横部材３，３を碁盤目状もしくは桝目状に組合せて藁縄で１本１本編み付けた竹製木舞４が用いられており、この竹製木舞４にコテ塗りにより荒壁５、砂シックイ等の中塗６、シックイ等の仕上塗７を、各工程毎に乾燥作業を介在させて行うことにより土塗壁を完成させている。荒壁５と中塗６間に藁スサやメッシュを塗り込んで補強する手段も知られている。土塗壁に用いる「土」は粘土に砂やスサ、糊、水を入れて泥状に混練して作製されており、海や湖で採取した植物性プランクトンの死骸が堆積してできた珪藻土も利用に供されている。
【０００３】
更に図１２に示したように、竹製木舞縦部材２，２の最下部に土台８を配設するとともに最上部に横架材９を配設し、中間部に間渡し竹１０，１０を設けた竹製木舞も用いられている。１１，１１は柱材１，１間に橋絡支持された通し貫である。図１３は竹製木舞部分のコテ塗りによる土塗壁２０の形状例を示す要部断面図であり、土塗壁２０内に藁スサ２１，２１を混入した例を示す。
【０００４】
土壁造りの住まいは自然素材特有の感触や質感による精神的な充実感が得られるとともに室内の湿気の吸放湿作用による湿度調整が良好であり、特に土中には新建材から放出される化学物質ホルムアルデヒド等を吸収浄化する作用があるとの研究報告もあり、ノンアレルギー、ノンアトピー効果が期待できる。建築基準法によれば土壁仕様の場合には必要筋違の軽減ができて建物強度アップが可能であり、断熱性が高いため防火構造としても認められている。更に自然素材である土壁は、建物解体時に発生する廃材土に適宜新しい壁土及び藁スサ等を補充して再利用が可能であってリサイクル使用が容易であるという利点がある。
【０００５】
更に近年ではアメリカのアリゾナ州ツーソンでの住まい造りにストローベイリーハウスのブームが起こっている。これは藁の固まりを積み上げて表面に土壁を塗り付け、外気よりの断熱効果を高めて室内の温湿度の自然調節で快適な住まいを得る手段である。
【０００６】
【発明が解決しようとする課題】
前記竹製木舞の製作は、現場での熟練した木舞編み職人の手作業に頼っているため、多くの手間と時間を要するとともに近時の木舞編み職人の不足にも伴って製作コストも高価となる問題がある。また、材料となる竹は伐採期間が限定されており、冬場の１１月〜２月でないと竹の強度が落ちたり腐れが早くなり、土塗壁の耐久力が低下してしまうという難点がある。
【０００７】
特に我国は高度成長時代に軽，小，短を目指して機械化による大量生産に突走ってきたため、あらゆるジャンルで伝統的文化，芸術性，技術力が捨てられてしまい、木造住宅においても戸数不足解消のため大量生産の技術が先行して伝統技術である木舞を用いた土塗壁工法が採用されない傾向にある。また、竹製品の需要減に伴って竹材のストック量が少なくなり、現場での入手が容易でないという現状がある。
【０００８】
上記に対処して石膏ボードを用いた土塗壁下地及びコンクリートを用いた土塗壁下地も利用に供されているが、これらの下地面に土壁を直塗すると附着力が不足して土塗壁が剥離しやすいという問題があり、直塗工法の採用は不適当であるという課題がある。
【０００９】
そこで本発明は上記の問題点を解決して、現場での熟練した職人の手作業に頼ることなく、下地材の組み付けに多くの手間と時間を不要とするとともに得られた土塗壁の剥離とかヒビ割等の欠陥及び欠損が生じることがなく、耐久力等の性能上及び機能上から従来の竹製木舞に何等遜色ない上、製作コストの低廉化がはかれる土塗壁の下地材及び土塗壁工法を提供することを目的としている。
【００１０】
【課題を解決するための手段】
本発明は上記目的を達成するために、下地材として有孔の木質系薄板状体を用いた土塗壁の下地材と、この下地材を用いた土塗壁工法を基本手段として提供する。上記木質系薄板状体として多数個の円形小孔が穿設されたベニヤ合板を用いる。
【００１１】
上記ベニヤ合板に円形小孔を千鳥模様に配列してあり、円形小孔の直径は２５ｍｍ〜３０ｍｍとし、円形小孔の縁部から外側に延びる略三角形の切込みを設けてある。円形小孔に代えて平面視が三角形もしくは八角形等の多角形の小孔をベニヤ合板に穿設することもできる。
【００１２】
更に家屋の壁部構築時に、下地材としての有孔の木質系薄板状体を柱材間に固定し、該薄板状体の両面から土を塗りつけることにより、薄板状体を中心として両側に略同一厚の土塗壁を構築する土塗壁工法を提供する。また、各工程毎に乾燥作業を介在させながら荒壁、中塗、仕上塗を施して土塗壁を完成させる。土塗壁内に補強用の藁スサもしくはメッシュを混入してもよい。
【００１３】
かかる土塗壁の下地材及び土塗壁工法によれば、家屋の壁部を構築する際に下地材としての有孔の薄板状体を柱材間に固定し、薄板状体の両面からコテ塗り等の手段によって土を塗りつけることにより土塗壁の一部が小孔を通って他方側に通じ、薄板状体を中心として両側に略同一厚の土塗壁が構築される。この時に土塗壁内に混入した藁スサは小孔の縁部に設けた切込みに喰い込まれ、土壁としての附着力が向上するとともに強度を高めることができる。
【００１４】
本発明による土塗壁工法の手順としては、前記したように薄板状体を中心として両側に略同一厚の土塗壁による荒壁を形成し、次に荒壁の両面に砂シックイ等の中塗を施し、最後に中塗の両面にシックイ等の仕上塗を施して土塗壁を完成させる。
【００１５】
【発明の実施の形態】
以下図面に基づいて本発明にかかる土塗壁の下地材及び土塗壁工法の実施形態を、従来の構成と同一の構成部分に同一の符号を付して説明する。本発明では下地材として有孔の木質系薄板状体を用いた土塗壁の下地材と、この下地材を用いた土塗壁工法を基本手段として提供する。
【００１６】
図１は本発明により製作した土塗壁の一部破断斜視図、図２は木質系薄板状体で構成された木舞部分を示す正面図であり、図中の１，１は柱材、１２は下地材として用いた木質系薄板状体、本例では所要厚を有するベニヤ合板であり、このベニヤ合板１２には多数個の円形小孔１３，１３が穿設されている。１１，１１は柱材１，１間に橋絡支持された通し貫である。
【００１７】
上記ベニヤ合板１２にコテ塗り等の手段で各工程毎に乾燥作業を介在させながら荒壁５、中塗６、仕上塗７を施して土塗壁を完成させる。荒壁５と中塗６間に藁スサを塗り込んで補強することもできる。図２に示したようにベニヤ合板１２の最下部に土台８が配設され、最上部に横架材９が配設されている。
【００１８】
図３は本実施例で用いた有孔のベニヤ合板１２の正面図、図４は同要部拡大図、図５は円形小孔１３の形状を示す拡大図であり、図３，図４に示したようにベニヤ合板１２に円形小孔１３，１３が千鳥模様に配列されている。ベニヤ合板１２に穿設された円形小孔１３，１３の直径は２５ｍｍ〜３０ｍｍが適当であり、図５に示したように円形小孔１３の縁部には外側に延びる三角形の切込み１４，１４が設けてある。この切込み１４，１４は土壁の強度を高めるために混入した藁スサの喰込み作用により土壁の附着力を高める機能を有している。
【００１９】
ベニヤ合板１２の穿孔加工はプレカット工法によって容易に実施できるので、大量生産を可能にするとともに製品ストックにも広い場所を要しないという特長がある。土塗壁の下地材としては上記のベニヤ合板１２に限定されるものではなく、有孔の木質系薄板状体であれば他の素材を利用することが可能である。更に多数個の円形小孔１３，１３に代えて平面視が三角形もしくは八角形等の多角形の小孔をベニヤ合板１２に穿設することもできる。
【００２０】
かかる構成によれば木造家屋の壁部、例えば内壁，外壁等の構築時に下地材としてのベニヤ合板１２を柱材１，１を橋絡支持している通し貫１１，１１に直接釘打で固定し、図６に示したようにベニヤ合板１２の一方の面からコテ塗り等の手段によって土、例えば珪藻土等を塗りつけることにより土塗壁２０の一部が円形小孔１３，１３を通って他方側にはみ出した状態となる。そこでベニヤ合板１２の他方の面から同様に土を塗りつけることにより、図７に示したようにベニヤ合板１２を中心として両側に略同一厚の土塗壁２０を構築することができる。
【００２１】
土塗壁２０内に混入した藁スサ２１，２１は、円形小孔１３の縁部に設けた切込み１４，１４に喰い込まれる。この切込み１４，１４に対する藁スサ２１，２１の喰込み作用により、土壁としての附着力が向上するとともに土塗壁２０としての強度を高めることができる。
【００２２】
図８，図９，図１０は本発明による土塗壁工法の手順を示しており、先ず図８に示したようにベニヤ合板１２を中心として両側に略同一厚の土塗壁による荒壁５，５を形成し、次に図９に示したように荒壁５，５の両面に砂シックイ等の中塗６，６を施し、最後に図１０に示したように中塗６，６の両面にシックイ等の仕上塗７，７を施して土塗壁を完成させる。荒壁５内には前記藁スサ２１，２１又は図示しないメッシュを塗り込んで補強してもよい。
【００２３】
以下に本発明の具体的な実施例を２例説明する。第１実施例として厚さ３ｍｍのベニヤ合板１２に直径２５ｍｍの円形小孔１３を施して合板製小舞を作製し、前記施工手順により土塗壁を完成させて経時変化を観察したところ、表面の見掛けはもとより剥離現象及びヒビ割等の欠陥は全く発生せず、所定時間経過後に一部分の壁土を取り壊して内部を検分しても土壁の附着力の低下とか老朽化等欠陥は発見されなかった。
【００２４】
次に第２実施例として、住宅の新築に伴って建物全般に渡って本発明を適用した土塗壁を作製して経時変化を観察したところ、欠陥とか欠損は全く生じなかった。上記２例の実施例で明らかなように、本発明にかかる土塗壁の下地材は性能上及び機能上も従来の竹製木舞に遜色ないものであることを確認した。
【００２５】
【発明の効果】
以上詳細に説明したように、本発明によれば家屋の壁部を構築する際に下地材としての有孔の薄板状体を柱材間に固定し、薄板状体の両面から土を塗りつけることにより土塗壁の一部が小孔を通って他方側に通じて薄板状体を中心として両側に略同一厚の土塗壁を構築することができる。有孔の薄板状体を柱材間に固定する作業は通常の大工仕事のカテゴリー内であって、従来の竹製木舞の製作のように熟練した木舞編み職人の手作業に頼ることがなく、多くの手間と時間を節約して製作コストも低廉化することができる。
【００２６】
本発明にかかる土塗壁の下地材は、性能上及び機能上も従来の竹製木舞に遜色ないものであり、表面の見掛けはもとより経時的な壁土の剥離とかヒビ割等の欠陥は全く発生しない。更に土塗壁内に混入した藁スサが小孔の縁部に設けた切込みに喰い込まれることにより、土壁としての附着力が向上するとともに強度を高めることができる。また、本発明は木造家屋の壁部のみでなく、鉄骨造り及び鉄筋コンクリート造りの壁面にも適用することができる。
【００２７】
有孔の薄板状体として安価なベニヤ合板を採用することができるので、土塗壁の普及及び復活のために、竹製小舞に替わる下地材として該ベニヤ合板を有効に利用することができる。ベニヤ合板の廃材は木質系であるため処理は容易であり、廃棄しても地球環境を害する惧れは生じない。更に石膏ボードとかコンクリートを用いた土塗壁下地のように土壁を直塗した際の附着力不足に起因する剥離現象がないので、直塗工法を採用することができる。
【００２８】
従って本発明によれば、現場での熟練した職人の手作業に頼らずに短時間で下地材の組み付けを行うことができる上、得られた土塗壁の剥離とかヒビ割等の欠陥及び欠損が生じることがなく、耐久力等の性能上及び機能上から従来の竹製木舞に何等遜色ない上、製作コストの低廉化がはかれる土塗壁の下地材及び土塗壁工法を提供することができる。
【図面の簡単な説明】
【図１】本発明を適用した土塗壁の一部破断斜視図。
【図２】木質系薄板状体で構成された木舞部分を示す正面図。
【図３】本実施例で用いた有孔のベニヤ合板の正面図。
【図４】図３の要部拡大図。
【図５】円形小孔の形状を示す拡大図。
【図６】本発明による土塗壁工法の作業例を示す要部断面図。
【図７】本発明による土塗壁工法の完成例を示す要部断面図。
【図８】本発明による土塗壁工法の手順を示す要部断面図。
【図９】土塗壁工法の次の手順を示す要部断面図。
【図１０】土塗壁工法の次の手順を示す要部断面図。
【図１１】従来の土塗壁の一部破断斜視図。
【図１２】従来の竹製木舞部分を示す正面図。
【図１３】従来の土塗壁工法の作業例を示す要部断面図。
【符号の説明】
１…柱材
５…荒壁
６…中塗
７…仕上塗
８…土台
９…横架材
１１…通し貫
１２…ベニヤ合板
１３…円形小孔
１４…切込み
２０…土塗壁
２１…藁スサ
整理番号　Ｐ３４７６
【図１】
2004068431.tif 000003
【図２】
2004068431.tif 000004
【図３】
2004068431.tif 000005
【図４】
2004068431.tif 000006
【図５】
2004068431.tif 000007
【図６】
2004068431.tif 000008
【図７】
2004068431.tif 000009
【図８】
2004068431.tif 000010
【図９】
2004068431.tif 000011
【図１０】
2004068431.tif 000012
【図１１】
2004068431.tif 000013
【図１２】
2004068431.tif 000014
【図１３】
2004068431.tif 000015